(57)【要約】【課題】複数の設定項目のそれぞれに係る設定状態が表示される空調設定装置において、どの設定状態が変更可能な状態なのかの迅速な識別に貢献できる空調用設定装置の提供。【解決手段】温度設定モードにおけるＬＣＤ３１のバックライトの色を、赤色ＬＥＤ３５Ａと青色ＬＥＤ３５Ｂの発光により生成し、風量設定モードにおけるＬＣＤ３１のバックライトの色を、緑色ＬＥＤ３５Ｃのみの発光により生成し、吹出口設定モードのにおけるＬＣＤ３１のバックライトの色を、赤色ＬＥＤ３５Ａ、青色ＬＥＤ３５Ｂおよび緑色ＬＥＤ３５Ｃのすべてを発光させて生成することによって、各設定モードにおけるＬＣＤ３１のバックライトの色をすべて異なる色にした。【選択図】図６
2005324690.tif 000002
【特許請求の範囲】
【請求項１】
空調装置の第１，第２の設定項目、前記第１設定項目に係る第１設定状態および前記第２設定項目に係る第２設定状態を表示する表示面を有する表示手段と、
前記第１，第２設定状態を選択的に変更可能な状態へ切替えることを指令する切替信号を出力する切替指令手段と、
変更可能な状態に切換えられた前記設定状態の変更を指令する設定変更信号を出力する設定変更指令手段と、
前記切替信号および前記設定変更信号に応じて前記表示手段を制御する表示制御手段と、
異なる複数種類の照明光を発光可能であって、前記表示面を照明する照明手段と、
前記照明手段が発光する照明光の色を制御する照明制御手段とを備える空調設定装置であって、
前記照明制御手段が、前記第１設定状態が変更可能な状態における照明光の色と、前記第２設定状態が変更可能な状態における照明光の色とが異なる色になるよう前記照明手段を制御することを特徴とする空調設定装置。
【請求項２】
請求項１記載の発明において、
前記照明手段が、互いに異なる色の光を発光する第１〜第３発光装置を備え、
前記照明制御手段が、前記第１設定状態が変更可能な状態のときに、予め指定された前記第１〜第３発光装置のうちの少なくとも１つを発光させ、前記第２設定状態が変更可能な状態のときに、前記予め指定された第１〜第３発光装置のうちの少なくとも１つとは別の少なくとも１つを発光させることを特徴とする空調設定装置。
【請求項３】
請求項２記載の発明において、
前記第１設定状態が変更可能な状態において前記第１，第２発光装置のみが発光するよう予め指定され、前記第２設定状態が変更可能な状態において前記第３発光装置のみが発光するよう予め指定されたことを特徴とする空調設定装置。
【請求項４】
請求項２記載の発明において、
前記第１設定状態が変更可能な状態において前記第１，第２発光装置のみが発光するよう予め指定され、前記第２設定状態が変更可能な状態において前記第１〜第３発光装置のすべてが発光するよう予め指定されたことを特徴とする空調設定装置。
【請求項５】
空調装置の第１〜第３の設定項目、前記第１設定項目に係る第１設定状態、前記第２設定項目に係る設定状態および前記第３設定項目に係る第３設定状態を表示する表示面を有する表示手段と、
前記第１〜第３設定状態を選択的に変更可能な状態へ切替えることを指令する切替信号を出力する切替指令手段と、
変更可能な状態に切替えられた前記設定状態の変更を指令する設定変更信号を出力する設定変更指令手段と、
前記切替信号および前記設定変更信号に応じて前記表示手段を制御する表示制御手段と、
互いに異なる色の光を発光する第１〜第３発光装置を有し、これらの少なくとも１つの発光により前記表示面を照明する照明手段と、
前記照明手段が発光する照明光の色を制御する照明制御手段とを備える空調設定装置であって、
前記照明制御手段が、前記第１設定状態が変更可能な状態において前記第１，第２発光装置のみが発光し、前記第２設定状態が変更可能な状態および前記第３設定状態が変更可能な状態の一方において、前記第３発光装置のみが発光し、他方において前記第１〜第３発光装置のすべてが発光するよう前記照明手段の制御を行うことを特徴とする空調設定装置。
【請求項６】
空調装置の設定項目である風量、温度および吹出口と、これらの設定項目のそれぞれの設定状態を表示する表示面を有する表示手段と、
前記風量の設定状態、前記温度の設定状態および前記吹出口の設定状態を選択的に変更可能な状態へ切替えることを指令する切替信号を出力する切替指令手段と、
変更可能な状態に切替えられた前記設定状態の変更を指令する設定変更信号を出力する設定変更指令手段と、
前記切替信号および前記設定変更信号に応じて前記表示手段を制御する表示制御手段と、
赤色発光装置、青色発光装置および緑色発光装置を有し、これらの少なくとも１つの発光により前記表示面を照明する照明手段と、
前記切替信号および前記設定変更信号に応じて前記表示手段を制御する表示制御手段と、
前記照明手段が発光する照明光の色を制御する照明制御手段とを備える空調設定装置であって、
前記照明制御手段が、前記温度の設定状態が変更可能な状態において前記赤色発光装置と青色発光装置のみが発光し、前記風量の設定状態が変更可能な状態および前記吹出口の設定状態が変更可能な状態の一方において前記緑色発光装置のみが発光するよう前記照明手段を制御することを特徴とする空調設定装置。
【請求項７】
空調装置の設定項目である風量、温度および吹出口と、これらの設定項目のそれぞれの設定状態を表示する表示面を有する表示手段と、
前記風量の設定状態、前記温度の設定状態および前記吹出口の設定状態を選択的に変更可能な状態へ切替えることを指令する切替信号を出力する切替指令手段と、
変更可能に切替られた前記設定状態の変更を指令する設定変更信号を出力する設定変更指令手段と、
前記切替信号および前記設定変更信号に応じて前記表示手段を制御する表示制御手段と、
赤色発光装置、青色発光装置および緑色発光装置を有し、これらの少なくとも１つの発光により前記表示面を照明する照明手段と、
前記照明手段が発光する照明光の色を制御する照明制御手段とを備える空調設定装置であって、
前記照明制御手段が、前記温度の設定状態が変更可能な状態において前記赤色発光装置と青色発光装置のみが発光し、前記風量の設定状態が変更可能な状態および前記吹出口の設定状態が変更可能な状態の一方において前記赤色発光装置、前記青色発光装置および前記緑色発光装置のすべてが発光するよう前記照明手段を制御することを特徴とする空調設定装置。
【請求項８】
空調装置の設定項目である風量、温度および吹出口と、これらの設定項目のそれぞれの設定状態を表示する表示面を有する表示手段と、
前記風量の設定状態、前記温度の設定状態および前記吹出口の設定状態を選択的に変更可能な状態へ切替えることを指令する切替信号を出力する切替指令手段と、
変更可能に切替えられた前記設定状態の変更を指令する設定変更信号を出力する設定変更指令手段と、
前記切替信号および前記設定変更信号に応じて前記表示手段を制御する表示制御手段と、
赤色発光装置、青色発光装置および緑色発光装置を有し、これらの少なくとも１つの発光により前記表示面を照明する照明手段と、
前記照明手段が発光する照明光の色を制御する照明制御手段とを備える空調設定装置であって、
前記照明制御手段が、前記温度の設定状態が変更可能な状態において前記赤色発光装置と青色発光装置のみが発光し、前記風量の設定状態が変更可能な状態および前記吹出口の設定状態が変更可能な状態の一方において、前記緑色発光装置のみが発光し、他方において前記赤色発光装置、前記青色発光装置および前記緑色発光装置のすべてが発光するよう前記照明手段を制御することを特徴とする空調設定装置。
【発明の詳細な説明】
【技術分野】
【０００１】
本発明は、風量、温度および吹出口等の空調装置の設定項目に係る設定状態を表示する表示面を有する表示手段と、表示面を照明する照明手段とを備える空調設定装置であって、照明手段が発光する照明光の色を制御可能な空調設定装置に関する。
【背景技術】
【０００２】
従来の空調設定装置は、空調装置の設定項目である風量、温度および吹出口と、各設定項目に係る各設定状態を表示する表示面を有する表示手段と、各設定項目ごとに設けられ、各設定状態の変更を指令する設定変更指令信号を出力する操作パネルと、異なる複数種類の色の照明光を発光可能であって表示面を照明する照明手段と、この照明手段を制御する照明制御手段とを備えている。
【０００３】
各操作パネルには、どの操作パネルがどの設定状態を変更するものかを識別するための文字や図形が標記されている。照明手段は、赤色の光を発光する赤色発光装置と、青色の光を発光する青色発光装置と、緑色の光を発光する緑色発光装置とを備えている。照明制御手段は、温度の設定状態、すなわち設定温度が変更可能な状態において、照明光の色が設定温度に応じて変化するよう赤色発光装置と青色発光装置を制御するようになっている。
【特許文献１】特開２００１−１９１７８４号公報
【発明の開示】
【発明が解決しようとする課題】
【０００４】
従来の空調設定装置では、各設定状態を変更する手段として、各設定項目ごとに操作パネルが設けられている。各設定状態を変更する手段としては、この他に、各設定状態を選択的に変更可能な状態へ切替えることを指令する切替信号を出力する切替指令手段と、変更可能な設定状態の変更を指令する設定変更信号を出力する設定変更指令手段とから構成することが考えられる。
【０００５】
従来の空調設定装置のように、各設定項目ごとに操作パネルが設けられたものでは、すなわち、各操作パネルと各操作パネルにより変更される各設定状態とが１対１で対応しているので、操作者は、所望の設定状態を変更する際、所望の設定状態に対応する操作パネルを選択した時点で、設定状態を変更するものとしないものとの識別を完了している。
【０００６】
これに対し、切替指令手段と設定変更指令手段とを備える空調設定装置では、操作者は、はじめに切替指令手段によって所望の設定状態を変更可能な状態へ切替え、所望の設定状態が変更可能に切替わったことを表示面を見て確認し、所望の設定状態が変更可能に切替わっていれば設定変更指令手段によって所望の設定状態の変更を行う。このようにして空調設定装置を操作する場合、操作者が運転者であって意識を集中して表示面を見ることができないときは、どの設定項目に係る設定状態が変更可能な状態であるかを迅速に識別することが困難である。
【０００７】
本発明は、上述の実状を考慮してなされたものであり、複数の設定項目のそれぞれに係る設定状態を表示する空調設定装置において、どの設定状態が変更可能な状態なのかの迅速な識別に貢献できる空調用設定装置を提供することにある。
【課題を解決するための手段】
【０００８】
前述の目的を達成するために、本発明は、次の〔１〕〜〔８〕のように構成してある。
【０００９】
〔１〕  本発明は、空調装置の第１，第２の設定項目、前記第１設定項目に係る第１設定状態および前記第２設定項目に係る第２設定状態を表示する表示面を有する表示手段と、前記第１，第２設定状態を選択的に変更可能な状態へ切替えることを指令する切替信号を出力する切替指令手段と、変更可能な状態に切換えられた前記設定状態の変更を指令する設定変更信号を出力する設定変更指令手段と、前記切替信号および前記設定変更信号に応じて前記表示手段を制御する表示制御手段と、異なる複数種類の照明光を発光可能であって、前記表示面を照明する照明手段と、前記照明手段が発光する照明光の色を制御する照明制御手段とを備える空調設定装置であって、前記照明制御手段が、前記第１設定状態が変更可能な状態における照明光の色と、前記第２設定状態が変更可能な状態における照明光の色とが異なる色になるよう前記照明手段を制御することを特徴とする。
【００１０】
このように構成した本発明では、照明制御手段が、第１設定状態が変更可能な状態における照明光の色と、第２設定状態が変更可能な状態における照明光の色とが異なる色になるよう照明手段を制御する。これにより、第１設定状態が変更可能な状態と、第２設定状態が変更可能な状態とでは、異なる色の照明光で表示面が照明される。つまり、照明光の色によって第１設定状態が変更可能な状態と、第２設定状態が変更可能な状態とを識別できる。この結果、第１，第２設定項目いずれに係る設定状態が変更可能な状態かの迅速な識別に貢献できる。
【００１１】
〔２〕  本発明は、〔１〕記載の発明において、前記照明手段が、互いに異なる色の光を発光する第１〜第３発光装置を備え、前記照明制御手段が、前記第１設定状態が変更可能な状態のときに、予め指定された前記第１〜第３発光装置のうちの少なくとも１つを発光させ、前記第２設定状態が変更可能な状態のときに、前記予め指定された第１〜第３発光装置のうちの少なくとも１つとは別の少なくとも１つを発光させることを特徴とする。
【００１２】
このように構成した本発明では、第１設定状態が変更可能な状態のときと、第２設定状態が変更可能な状態のときとでは、少なくとも１つの異なる発光装置が発光する。これにより、第１設定状態が変更可能な状態における照明光の色と、前記第２設定状態が変更可能な状態における照明光の色とを異なる色にすることができる。
【００１３】
〔３〕  本発明は、〔２〕記載の発明において、前記第１設定状態が変更可能な状態において前記第１，第２発光装置のみが発光するよう予め指定され、前記第２設定状態が変更可能な状態において前記第３発光装置のみが発光するよう予め指定されたことを特徴とする空調設定装置。
【００１４】
〔４〕  本発明は、〔２〕記載の発明において、前記第１設定状態が変更可能な状態において前記第１，第２発光装置のみが発光するよう予め指定され、前記第２設定状態が変更可能な状態において前記第１〜第３発光装置のすべてが発光するよう予め指定されたことを特徴とする。
【００１５】
〔５〕  本発明は、空調装置の第１〜第３の設定項目、前記第１設定項目に係る第１設定状態、前記第２設定項目に係る設定状態および前記第３設定項目に係る第３設定状態を表示する表示面を有する表示手段と、前記第１〜第３設定状態を選択的に変更可能な状態へ切替えることを指令する切替信号を出力する切替指令手段と、変更可能な状態に切替えられた前記設定状態の変更を指令する設定変更信号を出力する設定変更指令手段と、前記切替信号および前記設定変更信号に応じて前記表示手段を制御する表示制御手段と、互いに異なる色の光を発光する第１〜第３発光装置を有し、これらの少なくとも１つの発光により前記表示面を照明する照明手段と、前記照明手段が発光する照明光の色を制御する照明制御手段とを備える空調設定装置であって、前記照明制御手段が、前記第１設定状態が変更可能な状態において前記第１，第２発光装置のみが発光し、前記第２設定状態が変更可能な状態および前記第３設定状態が変更可能な状態の一方において、前記第３発光装置のみが発光し、他方において前記第１〜第３発光装置のすべてが発光するよう前記照明手段の制御を行うことを特徴とする。
【００１６】
このように構成した本発明では、照明制御手段が、第１設定状態が変更可能な状態において第１，第２発光装置のみが発光し、第２設定状態が変更可能な状態および第３設定状態が変更可能な状態の一方において、第３発光装置のみが発光し、他方において第１〜第３発光装置のすべてが発光するよう照明手段の制御を行う。これにより、第１設定状態が変更可能な状態における照明光の色と、第２設定状態が変更可能な状態における照明光の色と、第３設定状態が変更可能な状態における照明光の色とを、異なる色にすることができる。つまり、第１〜第３設定状態のいずれが変更可能な状態なのかを、照明光の色により識別することができる。この結果、第１〜第３設定項目のいずれに係る設定状態が変更可能な状態かの迅速な識別に貢献できる。
【００１７】
〔６〕  本発明は、空調装置の設定項目である風量、温度および吹出口と、これらの設定項目のそれぞれの設定状態を表示する表示面を有する表示手段と、前記風量の設定状態、前記温度の設定状態および前記吹出口の設定状態を選択的に変更可能な状態へ切替えることを指令する切替信号を出力する切替指令手段と、変更可能な状態に切替えられた前記設定状態の変更を指令する設定変更信号を出力する設定変更指令手段と、前記切替信号および前記設定変更信号に応じて前記表示手段を制御する表示制御手段と、赤色発光装置、青色発光装置および緑色発光装置を有し、これらの少なくとも１つの発光により前記表示面を照明する照明手段と、前記切替信号および前記設定変更信号に応じて前記表示手段を制御する表示制御手段と、前記照明手段が発光する照明光の色を制御する照明制御手段とを備える空調設定装置であって、前記照明制御手段が、前記温度の設定状態が変更可能な状態において前記赤色発光装置と青色発光装置のみが発光し、前記風量の設定状態が変更可能な状態および前記吹出口の設定状態が変更可能な状態の一方において前記緑色発光装置のみが発光するよう前記照明手段を制御することを特徴とする。
【００１８】
このように構成した本発明は、照明制御手段が、温度の設定状態が変更可能な状態において赤色発光装置と青色発光装置のみが発光し、風量の設定状態が変更可能な状態および吹出口の設定状態が変更可能な状態の一方において緑色発光装置のみが発光するよう照明手段を制御する。これにより、温度の設定状態が変更可能な状態における照明光の色と、風量の設定状態が変更可能な状態および吹出口の設定状態が変更可能な状態の少なくとも一方における照明光の色とを、異なる色にすることができる。つまり、温度の設定状態が変更可能な状態と、風量の設定状態が変更可能な状態および吹出口の設定状態が変更可能な状態との少なくとも一方とを、照明光の色により識別することができる。この結果、温度、風量および吹出口のいずれに係る設定状態が変更可能な状態かの迅速な識別に貢献できる。
【００１９】
〔７〕  本発明は、空調装置の設定項目である風量、温度および吹出口と、これらの設定項目のそれぞれの設定状態を表示する表示面を有する表示手段と、前記風量の設定状態、前記温度の設定状態および前記吹出口の設定状態を選択的に変更可能な状態へ切替えることを指令する切替信号を出力する切替指令手段と、変更可能に切替られた前記設定状態の変更を指令する設定変更信号を出力する設定変更指令手段と、前記切替信号および前記設定変更信号に応じて前記表示手段を制御する表示制御手段と、赤色発光装置、青色発光装置および緑色発光装置を有し、これらの少なくとも１つの発光により前記表示面を照明する照明手段と、前記照明手段が発光する照明光の色を制御する照明制御手段とを備える空調設定装置であって、前記照明制御手段が、前記温度の設定状態が変更可能な状態において前記赤色発光装置と青色発光装置のみが発光し、前記風量の設定状態が変更可能な状態および前記吹出口の設定状態が変更可能な状態の一方において前記赤色発光装置、前記青色発光装置および前記緑色発光装置のすべてが発光するよう前記照明手段を制御することを特徴とする。
【００２０】
このように構成した本発明では、制御手段が、温度の設定状態が変更可能な状態において赤色発光装置、赤色発光装置と青色発光装置のみが発光し、風量の設定状態が変更可能な状態および吹出口の設定状態が変更可能な状態の一方において赤色発光装置、青色発光装置および緑色発光装置のすべてが発光するよう照明手段を制御する。これにより、温度の設定状態が変更可能な状態における照明光の色と、風量の設定状態が変更可能な状態および吹出口の設定状態が変更可能な状態の少なくとも一方における照明光の色とを、異なる色にすることができる。つまり、温度の設定状態が変更可能な状態と、風量の設定状態が変更可能な状態および吹出口の設定状態が変更可能な状態との少なくとも一方とを、照明光の色により識別することができる。この結果、温度、風量および吹出口のいずれに係る設定状態が変更可能な状態かの迅速な識別に貢献できる。
【００２１】
〔８〕  本発明は、空調装置の設定項目である風量、温度および吹出口と、これらの設定項目のそれぞれの設定状態を表示する表示面を有する表示手段と、前記風量の設定状態、前記温度の設定状態および前記吹出口の設定状態を選択的に変更可能な状態へ切替えることを指令する切替信号を出力する切替指令手段と、変更可能に切替えられた前記設定状態の変更を指令する設定変更信号を出力する設定変更指令手段と、前記切替信号および前記設定変更信号に応じて前記表示手段を制御する表示制御手段と、赤色発光装置、青色発光装置および緑色発光装置を有し、これらの少なくとも１つの発光により前記表示面を照明する照明手段と、前記照明手段が発光する照明光の色を制御する照明制御手段とを備える空調設定装置であって、前記照明制御手段が、前記温度の設定状態が変更可能な状態において前記赤色発光装置と青色発光装置のみが発光し、前記風量の設定状態が変更可能な状態および前記吹出口の設定状態が変更可能な状態の一方において、前記緑色発光装置のみが発光し、他方において前記赤色発光装置、前記青色発光装置および前記緑色発光装置のすべてが発光するよう前記照明手段を制御することを特徴とする。
【００２２】
このように構成した本発明では、照明制御手段が、温度の設定状態が変更可能な状態において赤色発光装置と青色発光装置のみが発光し、風量の設定状態が変更可能な状態および吹出口の設定状態が変更可能な状態の一方において、緑色発光装置のみが発光し、他方において赤色発光装置、青色発光装置および緑色発光装置のすべてが発光するよう照明手段を制御する。これにより、温度の設定状態が変更可能な状態における照明光の色と、風量の設定状態が変更可能な状態における照明光の色と、吹出口の設定状態が変更可能な状態における照明光の色とを、すべて異なる色にすることができる。つまり、温度の設定状態が変更可能な状態と、風量の設定状態が変更可能な状態と、吹出口の設定状態が変更可能な状態とを、照明光の色により識別することができる。この結果、温度、風量および吹出口のいずれに係る設定状態が変更可能な状態かの迅速な識別に貢献できる。
【発明の効果】
【００２３】
前述のように、本発明によれば、複数の設定項目のそれぞれに係る設定状態を表示する空調設定装置において、どの設定状態が変更可能な状態なのかの迅速な識別に貢献できる。
【発明を実施するための最良の形態】
【００２４】
以下で、本発明の空調設定装置の一実施形態を図１〜９を用いて説明する。
【００２５】
図１は、本発明の空調設定装置の一実施形態の正面図、図２は、図１に示す空調設定装置の装置の分解斜視図、図３は、図１のIII−III断面図、図４は、図１のIV−IV断面図、図５は、図４のV−V断面図、図６は、図１に示す空調設定装置のシステム構成を示すブロック図、図７は、温度の設定状態が変更可能な状態における表示面の照明光の色を示す図、図８は、風量の設定状態が変更可能な状態における表示面の照明光の色を示す図、図９は、吹出口の設定状態が変更可能な状態における表示面の照明光の色を示す図である。
【００２６】
＜１＞  本実施形態の構成
本実施形態は、図１に示すように、例えばカーエアコン１００（図６参照）を操作するための空調設定装置１であり、自動車のインストラメントパネル（図示せず）に設置される。
【００２７】
空調設定装置１は、カーエアコン１００の設定項目である風量、温度および吹出口を表示するとともに、風量の設定状態（以下「設定風量」という）、温度の設定状態（以下「設定温度」という）および吹出口の設定状態（以下「設定吹出口」という）を表示する表示面、すなわちＬＣＤ３１を有する表示手段、すなわち表示装置３０を備えている。
【００２８】
また、空調設定装置１は、設定風量、設定温度および設定吹出口を選択的に変更可能な状態へ切替えることを指令する切替信号を出力する切替指令手段と、変更可能な設定状態の変更を指令する設定変更信号を出力する設定変更指令手段とを有する入力装置５を備えている。
【００２９】
また、空調設定装置１は、異なる複数種類の照明光を発光可能であって前記表示面を照明する照明手段、すなわち照明装置３５を備えている。
【００３０】
さらに、空調設定装置１は、表示装置３０、入力装置５および照明装置３５を制御する制御装置６０を備えている。この制御装置６０は、入力装置５が出力する切替信号および設定変更信号に応じて表示装置３０を制御する表示制御手段と、照明装置３５が発光する光の色を制御する照明制御手段とを兼ねる。
【００３１】
表示装置３０、入力装置５および照明装置３５は、筐体２に収納してある。筐体２は、図２に示すように、表側ケース３と裏側ケース４とをスナップ結合してなる。
【００３２】
＜１．１＞  入力装置５の構成
入力装置５の構成について、図２〜５を用いて説明する。
【００３３】
入力装置５は、表側ケース３の表側に配置され、手動で回転操作、および所定方向への移動操作、すなわち左右方向へ傾倒操作される前記操作部６を備えている。この操作部６の周囲に位置する表側ケース３の板部には、左右方向に長い凹部３Ｂを設けてある。
【００３４】
筐体２内には、モータ８と、このモータ８の出力軸に取付けられ、出力軸から出力される回転力を増大して出力する遊星歯車機構部９とを、カバー１０で覆って一体化したエンジン７を収容してある。
【００３５】
遊星歯車機構部９は、モータ８の出力軸に固定されこの出力軸と一体で回転するサンギア９Ａと、このサンギア９Ａを中心に公転する３つのプラネットギア９Ｂと、カバー１０の内壁面に形成されプラネットギア９Ｂに内周側で噛合うリングギア９Ｃと、各プラネットギア９Ｃの回転軸が設けられプラネットギア９Ｃの公転に伴って回転するキャリア９Ｄとを備えている。
【００３６】
エンジン７は、エンジン７の前側に装着され円筒部１２Ａを有する前側エンジンカバー１２と、エンジン７の後側に装着され前側エンジンカバー１２とスナップ結合する後側エンジンカバー１３とによって覆ってある。
【００３７】
前側エンジンカバー１２の円筒部１２Ａの内周側には、キャリア９Ｄの出力軸が配置され、円筒部１２Ａの外周側には、操作部６の回転をガイドするガイド部材１４を摺動可能に嵌合してある。ガイド部材１４の前端面の中央には、操作部６にスナップ結合する操作部ホルダ１５を配置してある。操作部ホルダ１５と、ガイド部材１４と、キャリア９Ｄは、ねじ１６により締結してある。
【００３８】
つまり、入力装置５では、操作部ホルダ１５、ガイド部材１４、前側エンジンカバー１２、遊星歯車機構部９および後側エンジンカバー１３によって操作部６とモータ８の結合体を構成してある。この結合体では、操作部ホルダ１５、ガイド部材１４および遊星歯車機構部９を介して、操作部６とモータ８との間で回転力の伝達が行われるようになっている。
【００３９】
表側ケース３には、操作部ホルダ１５とガイド部材１４との結合部１６Ａが配置されるとともに、結合体の傾倒に伴う結合部１６Ａの移動を許容する横長孔３Ａを形成してある。
【００４０】
前側エンジンカバー１２の前端面には、Ｏリング１７を嵌め込んであり、前側エンジンカバー１２の円筒部１２Ａの外周と、ガイド部材１４の内周との間にはグリース（図示せず）を充填してある。
【００４１】
前記結合体は、水平方向（図１における左右方向）にのみ傾倒可能に支持してある。つまり、前側エンジンカバー１２の上部と下部には、一対の傾倒軸１９を設けてあり、裏側ケース４の内部には、傾倒軸１９が回転可能に挿入される軸孔２０Ａを有する一対の舌片２０を設けてある。なお、軸孔を前側エンジンカバー１２に軸孔を設け、傾倒軸を裏側ケース４に傾倒軸を設けて、結合体を左右方向へ傾倒可能に支持してもよい。
【００４２】
裏側ケース４には、傾倒軸１９よりも後方に位置する前記結合体の後部が配置されるとともに、結合体の傾倒を許容する収納部４Ａを形成してある。
【００４３】
また、裏側ケース４には、第１回路基板２１をねじ２２により固定してある。この第１回路基板２１には、傾倒軸１９よりも後方に位置する前記結合体の後部が配置され、結合体の傾倒を許容する開口部２１Ａを形成してある。
【００４４】
第１回路基板２１の前面の左右側部には、前記切替指令手段、すなわち第１，第２検出スイッチ２３Ａ，２３Ｂを設けてある。
【００４５】
第１検出スイッチ２３Ａは、前後方向に往復動可能に設けられる駆動部材１２３Ａと、この駆動部材１２３Ａの往復動に伴って接触・離間する可動接点（図示せず）および固定接点（図示せず）と、駆動部材１２３Ａを復帰させる弾性部材（図示せず）とを備えている。第２検出スイッチ２３Ｂは、前後方向に往復動可能に設けられる駆動部材１２３Ｂと、この駆動部材１２３Ｂの往復動に伴って接触・離間する可動接点（図示せず）および固定接点（図示せず）と、駆動部材１２３Ｂを復帰させる弾性部材（図示せず）とを備えている。
【００４６】
前側エンジンカバー１２の左側部には、結合体の左方向への傾倒に伴って第１検出スイッチ２３Ａの駆動部材１２３Ａを操作する第１操作片２４Ａを突出させてあり、前側エンジンカバー１２の右側部には、第２スイッチ２３Ｂの駆動部材１２３Ｂを操作する第２操作片２４Ｂを突出させてある。
【００４７】
つまり、操作部６が傾倒操作されたときに、操作片２４Ａまたは２４Ｂにより第１，第２検出スイッチ２３Ａまたは２３Ｂが操作されてＯＮし、操作部６の傾倒方向を示す傾倒信号が、前記切替信号として出力されるようになっている。
【００４８】
エンジン７には、前記設定変更指令手段、すなわちロータリエンコーダ１８（図６参照）を付設してある。このロータリエンコーダ１８は、モータ８の出力軸の回転角度、言い替えると操作部６の回転角度を検出し、検出した回転角度に相応する回転角度信号を、前記設定変更信号として出力するものである。このロータリエンコーダ１８は、図示省略してあるが、コード板およびフォトセンサを備え、フォトセンサはカバー１０に形成された箱状部１０Ａに収容してある。
【００４９】
＜１．２＞  表示装置３０の構成
表示装置３０について、図１，２を用いて説明する。
【００５０】
表示装置３０は、前記ＬＣＤ３１と、このＬＣＤ３１の端子３１Ａが接続される第２回路基板３２と、ＬＣＤ３１が嵌合され第２回路基板３２に固定されるＬＣＤホルダ３４とを備えている。表側ケース３には、ＬＣＤ３１の表面を露呈させる窓部３Ｅを形成してある。
【００５１】
第２回路基板３２は、表側ケース３にねじ３３により締結してある。第２回路基板３２には、ＬＣＤ３１を駆動させるＬＣＤ駆動部６６（図６参照）を設けてある。このＬＣＤ駆動部６６は、制御装置６０からの制御信号に応じてＬＣＤ３１を駆動させるものである。
【００５２】
制御装置６０は、第１，第２検出スイッチ２３Ａ，２３Ｂにより検出される傾倒方向と、ロータリエンコーダ１８により検出される回転角度とに応じてＬＣＤ駆動部６６に制御信号を出力するようにしてある。
【００５３】
表側ケース３の窓部３Ｅから露呈するＬＣＤ３１部分には、設定風量を表示する風量表示エリア４０と、設定温度を表示する温度表示エリア４１と、設定吹出口を表示する吹出口表示エリア４２とを設けてある。
【００５４】
風量表示エリア４０には、ファン型セグメント４０Ａと、このファン型セグメント４０Ａを囲む６つの円弧型セグメント４０Ｂ〜４０Ｇとを発光可能に設けてある。つまり、ファン型セグメント４０Ａの発光によって風量表示エリア４０であることが表示され、設定風量の大きさが、円弧型セグメント４０Ｂのみの発光、円弧型セグメント４０Ｂ，４０Ｃの発光、円弧型セグメント４０Ｂ〜４０Ｄの発光、円弧型セグメント４０Ｂ〜４０Ｅの発光、円弧型セグメント４０Ｂ〜４０Ｆの発光、および、円弧型セグメント４０Ｂ〜４０Ｇの発光の６段階で表示されるようにしてある。
【００５５】
温度表示エリア４１には、複数のセグメントの発光により２桁の数字を形成可能な数字形成部４１Ａを設けてある。つまり、設定温度が、数字形成部４１Ａにより形成される数字により表示されるようにしてある。設定温度は、制御装置６０の設定により１６℃〜３０℃の範囲で１℃刻みに表示されるようにしてある。
【００５６】
吹出口表示エリア４２には、人型セグメント４２Ａと、この人型セグメント４２Ａの上方へ向かって延びる矢印型セグメント４２Ｂと、人型セグメント４２Ａの中間に向かって延びる矢印型セグメント４２Ｃと、人型セグメント４２Ａの下端部に向かって延びる矢印型セグメント４２Ｄとを発光可能に設けてある。つまり、フロントガラスへ向かって送風を行うためのＤＥＦ吹出口に設定された状態が、矢印型セグメント４２Ｂの発光により表示され、運転者の顔や胴へ向かって送風を行うためのＶＥＮＴ吹出口に設定された状態が、矢印型セグメント４２Ｃの発光により表示され、足元へ向かって送風を行うためのＦＬＯＯＲ吹出口に設定された状態が、矢印型セグメント４２Ｄの発光により表示されるようにしてある。
【００５７】
また、風量表示エリア４０の周囲、温度表示エリア４１の周囲および吹出口表示エリア４２の周囲のそれぞれには、リング型セグメント４３〜４５のそれぞれを発光可能に設けてある。つまり、３つの設定項目のうちの風量が選択されたことがリング型セグメント４３の発光により表示され、温度が選択されたことがリング型セグメント４４の発光により表示され、吹出口が選択されたことがリング型セグメント４５により表示されるようにしてある。
【００５８】
また、リング型セグメント４４の右側部には、１頂点が右方を向いた三角セグメント４６を発光可能に設けてある。リング型セグメント４５の左側部には、１頂点が左方を向いた三角セグメント４７を発光可能に設けてあり、右側部には１頂点が右方を向いた三角セグメント４８を発光可能に設けてある。リング型セグメント４５の左側部には、１頂点が左方を向いた三角セグメント４９を発光可能に設けてある。
【００５９】
＜１．３＞  照明装置３５の構成
照明装置３５は、赤色の光を発光する発光装置である赤色ＬＥＤ３５Ａと、青色の光を発光する発光装置である青色ＬＥＤ３５Ｂと、緑色の光を発光する緑色発光装置である緑色ＬＥＤ３５Ｃとを備えている。各ＬＥＤ３５Ａ〜３５Ｃは、ＬＣＤホルダ３４の一方の側端部、例えば右側端部に形成されたＬＣＤ取付孔３６Ａ〜３６Ｃに配置してある。ＬＥＤ３５Ａ〜３５Ｃは、第２回路基板３２にリード線を介して電気的に接続される。この第２回路基板３２には、ＬＥＤ３５Ａ〜３５Ｃを発光させるＬＥＤ駆動部６７を設けてある。ＬＥＤ駆動部６７は、制御装置６０からの制御信号に応じて駆動するようになっている。
【００６０】
ＬＣＤホルダ３４の底面全体には、光を反射する反射板３７を貼り付けてある。この反射板３７とＬＣＤ３１の間には、ＬＥＤ３５Ａ〜３５Ｃから放たれた光、および、反射板３７により反射された光を、ＬＣＤ３１の裏面側に導く導光板３８と、この導光板３８により導かれた光をＬＣＤ３１の裏面に対して均一に拡散する３枚の拡散シート３９Ａ〜３９Ｃをと配置してある。
【００６１】
＜１．４＞  制御装置６０の構成
制御装置６０の構成について、図６を用いて説明する。
【００６２】
制御装置６０は、例えば第１回路基板２１に設けられ、ＣＰＵ６１、ＲＯＭ６２およびＲＡＭ６３、およびＥＥＰＲＯＭ６４、および通信ドライバ６８を備えている。この制御装置６０は、第１，第２検出スイッチ２３Ａ，２３Ｂからの傾倒信号と、ロータリエンコーダ１８からの回転角度信号に応じて、モータドライバ６５に対する制御信号、ＬＣＤ駆動部６６に対する制御信号、ＬＥＤ駆動部６７に対する制御信号、およびカーエアコン１００に対する指令信号のそれぞれを出力するようになっている。
【００６３】
ＣＰＵ６１は、第１，第２検出スイッチ２３Ａ，２３Ｂからの傾倒信号と、ロータリエンコーダ１８からの回転角度信号とに応じて、モータドライバ６５、ＬＣＤ駆動部６６およびＬＥＤ駆動部６７に対する目標値や、カーエアコン１００に対する指令値を算出するための演算や、制御装置６０の全体を制御するための演算を行う演算装置である。
【００６４】
ＲＯＭ６２は、自動車のエンジンの起動に連動させて空調設定装置１を起動させる起動プログラムと、回転角度信号および傾倒信号とに応じてモータドライバ６５に対する制御信号、ＬＣＤ駆動部６６に対する制御信号、ＬＥＤ駆動部６７に対する制御信号、およびカーエアコン１００に対する指令信号のそれぞれを出力するためのプログラムのそれぞれとを記憶する読込専用の記憶装置である。なお、起動プログラムでは、温度の設定状態が変更可能な状態となるようにしてしてある。
【００６５】
ＬＥＤ駆動部６７を制御するプログラムでは、温度の設定状態が変更可能な状態（以下「温度設定モード」という）において赤色ＬＥＤ３５Ａと青色ＬＥＤ３５Ｂの２つが発光するよう指定してあり、風量の設定状態が変更可能な状態（以下「風量設定モード」という）、および吹出口の設定状態が変更可能な状態（以下「吹出口設定モード」という）の一方、例えば風量設定モードにおいて緑色ＬＥＤ３５Ｃのみが発光するよう指定してあり、他方、すなわち吹出口設定モードにおいて赤色ＬＥＤ３５Ａ、青色ＬＥＤ３５Ｂおよび緑色ＬＥＤ３５Ｃのすべてが発光するように指定してある。
【００６６】
モータ８を制御するプログラムでは、各設定モードごとに、ロータリエンコーダ１８が検出した回転角度に対応するモータ８の回転力を算出し、この回転力に相応する制御信号をモータドライバ６５へ出力するようになっている。
【００６７】
ＲＡＭ６３は、ＣＰＵ６１による演算処理中の値を一時的に記憶する記憶装置である。
【００６８】
ＥＥＰＲＯＭ６４は、記憶内容の変更が可能な記憶装置であって、風量、温度および吹出口のそれぞれの設定状態に対応するＬＣＤ駆動部６６に対する目標値、ＬＥＤ駆動部６７に対する目標値、およびカーエアコン１００に対する指令値等を記憶するものである。
【００６９】
＜２＞  空調設定装置１の動作
空調設定装置１の動作について説明する。
【００７０】
＜２．１＞  空調設定装置１の起動時
空調設定装置１が、自動車のエンジンの起動に連動して起動し、制御装置６０が温度設定モードとなる。このとき、制御装置６０は、表示装置３０のＬＣＤ駆動部６６と、照明装置３５のＬＥＤ駆動部６７とに対して、温度設定モードであって、前回設定された温度が例えば２２℃であり、前回設定された吹出口が例えばＶＥＮＴ吹出口であることに相応する制御信号を出力する。
【００７１】
制御信号に従って動作した表示装置３０は、図７に示すように、ＬＣＤ３１の温度表示エリア４１に、前回設定された温度である２２℃を示す数字「２２」を、数字形成部４１Ａによって表示する。また、風量表示エリア４０に、ファン型セグメント４０Ａのみの発光によって風量０を表示する。また、吹出口表示エリア４２に、前回設定された吹出口であるＶＥＮＴ吹出口を、矢印型セグメント４２Ｃの発光によって表示する。
【００７２】
また、表示装置３０は、同図７に示すように、温度表示エリア４１の周囲のリング型セグメント４４および三角セグメント４７，４８を発光させ、風量表示エリア４０の周囲のリング型セグメント４３および三角セグメント４６、吹出口表示エリア４２の周囲のリング型セグメント４５および三角セグメント４９を消灯したままにする。つまり、温度設定モードであることがリング型セグメント４４によって表示され、操作部６の左右方向への傾倒操作により風量設定モードや吹出口設定モードに切替可能であることが三角セグメント４７，４８によって表示される。
【００７３】
制御信号に従って動作した照明装置３５は、赤色ＬＥＤ３５Ａと青色ＬＥＤ３５Ｂとを発光させる。これにより、同図７に示すように、ＬＣＤ３１に対する照明光、すなわちバックライトは紫色になる。図７において、窓部３Ｅに描いた破線は、バックライトが紫色であることを示している。
【００７４】
＜２．２＞  温度設定時
温度の設定操作は、前述した温度設定モードにおいて、操作部６を回転操作することにより行う。
【００７５】
操作部６が右回転操作された場合、増加する操作部６の回転角度をロータリエンコーダ１８が検出して、検出した回転角度に相応する回転角度信号を制御装置６０へ出力する。制御装置６０は、回転角信号を設定温度の変更を指令する設定変更信号として演算処理し、回転角度の増加に応じて、ＬＣＤ駆動部６６に対する目標値、ＬＥＤ駆動部６７に対する目標値、およびモータドライバ６５に対する目標値のそれぞれを算出して、これらの目標値に相応する制御信号のそれぞれを、ＬＣＤ駆動部６６、ＬＥＤ駆動部６７およびモータドライバ６５のそれぞれへ出力する。
【００７６】
すると、表示装置３０は、操作部６の回転角度が所定角度増加するたびごとに、温度表示エリア４１において数字形成部４１Ａにより形成される数字の値を大きくする。つまり、操作部６の回転角度が所定角度増加するたびごとに、設定温度が１℃大きくなったことが表示される。
【００７７】
また、照明装置３５は、操作部６の回転角度が前記所定角度増加するたびごとに、赤色ＬＥＤ３５Ａが発光する光の輝度を増加させ、青色ＬＥＤ３５Ｂが発光する光の輝度を減少させる。これにより、紫色のバックライトは、操作部６の回転角度が前記所定角度増加するたびごとに赤色が強まり、数字形成部４１Ａが設定温度の上限値である３０℃を示す数字「３０」を形成したときに、赤色となる。つまり、バックライトの色は、設定温度が大きいほど赤色が強くなる。
【００７８】
また、モータ８は、操作部６の回転角度が前記所定角度増加するたびごとに回転力を瞬間的に変化させる。回転力が瞬間的に変化したとき、操作部６にはクリック感触が発生する。つまり、操作者は、設定温度が１℃大きくなるたびごとにクリック感触を得る。
【００７９】
また、温度表示エリア４１において数字形成部４１Ａが数字「３０」となったときに、モータ８は右回転操作に対抗する大きな回転力を発生させる。これにより、操作者は操作部６の右回転操作を阻止される。つまり、設定温度が上限値である３０℃になったことが、操作部６の右回転操作の阻止（力覚）によって操作者に提示される。
【００８０】
操作部６が左回転操作された場合、減少する操作部６の回転角度をロータリエンコーダ１８が検出して、検出した回転角度に相応する回転角度信号を制御装置６０へ出力する。制御装置６０は、回転角度信号を設定温度の変更を指令する設定変更信号として演算処理し、回転角度の減少に応じて、ＬＣＤ駆動部６６に対する目標値、ＬＥＤ駆動部６７に対する目標値、およびモータドライバ６５に対する目標値のそれぞれを算出し、これらの目標値に相応する制御信号のそれぞれを、ＬＣＤ駆動部６６、ＬＥＤ駆動部６７およびモータドライバ６５のそれぞれへ出力する。
【００８１】
すると、表示装置３０は、操作部６の回転角度が所定角度減少するたびごとに、温度表示エリア４１において数字形成部４１Ａにより形成される数字の値が小さくする。つまり、操作部６の回転角度が所定角度減少するたびごとに、設定温度が１℃小さくなったことが表示される。
【００８２】
また、照明装置３５は、操作部６の回転角度が前記所定角度増加するたびごとに、赤色ＬＥＤ３５Ａが発光する光の輝度を減少させ、青色ＬＥＤ３５Ｂが発光する光の輝度を増加させる。これにより、紫色のバックライトは、操作部６の回転角度が前記所定角度減少するたびごとに、青色が強まり、数字形成部４１Ａが設定温度の下限値（１６℃）を示す数字「１６」を形成したときに、青色となる。つまり、バックライトの色は、設定温度が小さくなるほど青色が強くなる。
【００８３】
また、モータ８は、操作部６の回転角度が前記所定角度減少するたびごとに回転力を瞬間的に変化させる。回転力が瞬間的に変化したとき、操作部６にはクリック感触が発生する。つまり、操作者は、設定温度が１℃小さくなるたびごとにクリック感触を得る。
【００８４】
また、温度表示エリア４１において数字形成部４１Ａが数字「１６」を形成したときに、モータ８は、左回転操作に対抗する大きな回転力を発生する。これにより、操作者は操作部６の左回転操作を阻止される。つまり、設定温度が下限値である１６℃になったことが、操作部６の左回転操作の阻止（力覚）によって操作者に提示される。
【００８５】
ロータリエンコーダ１８により検出される回転角度が変化せずに２秒経過すると、制御装置６０は、設定温度の変更が終了したと判定し、温度設定モードになった当初にロータリエンコーダ１８が検出した回転角度と、設定温度の変更終了時にロータリエンコーダ１８が検出した回転角度との差から、カーエアコン１００に対する、設定温度に対応する指令値を算出する。そして、算出した指令値に相応する指令信号を、通信ドライバ６８によりカーエアコン１００へ出力する。
【００８６】
＜２．３＞  風量設定時
風量の設定操作は、温度設定モードにおいて、操作部６を左方向に傾倒操作して風量設定モードに切替えた後、操作部６を回転操作することにより行う。
【００８７】
操作部６が左方向へ傾倒操作されると、第１操作片２４Ａにより駆動部材１２３Ａが押圧操作されて第１検出スイッチ２３ＡがＯＮする。すると、第１検出スイッチ２３Ａは、操作部６が左方向に傾倒操作されたことを示す左傾倒信号を、制御装置６０へ出力する。そして、操作部６に対する操作力が取除かれ、駆動部材１２３Ａが復帰して第１検出スイッチ２３ＡがＯＦＦすると、第１検出スイッチ２３Ａから制御装置６０への左傾倒信号の出力が停止する。
【００８８】
制御装置６０は、温度設定モードにおける第１検出スイッチ２３Ａからの左傾倒信号の出力を、温度設定モードから風量設定モードへの切替を指令する切替信号として演算処理し、風量設定モードに切替わるとともに、表示装置３０のＬＣＤ駆動部６６と、照明装置３５のＬＥＤ駆動部６７とに対して、風量設定モードに相応する制御信号を出力する。
【００８９】
制御信号に従って動作した表示装置３０は、図８に示すように、風量表示エリア４０に、前述した温度設定モード時と同じくファン型セグメント４０Ａのみの発光によって風量０を表示する。また、温度表示エリア４１に、前述のようにして設定された温度、例えば２０°を示す数字「２０」を数字形成部４１Ａによって表示する。また、吹出口表示エリア４２に、前述した温度設定モード時と同じく矢印型セグメント４２Ａの発光によってＶＥＮＴ吹出口に設定されていることを表示する。
【００９０】
また、表示装置３０は、同図８に示すように、風量表示エリア４０の周囲のリング型セグメント４３と三角セグメント４６を発光させ、同時に、温度表示エリア４１の周囲のリング型セグメント４４と三角セグメント４７，４８を消灯させる。つまり、風量設定モードであることがリング型セグメント４３によって表示され、操作部６の右方向への傾倒操作により温度設定モードに切替可能であることが三角セグメント４６によって表示される。
【００９１】
また、制御信号に従って動作した照明装置３５は、緑色ＬＥＤ３５Ｃのみを発光させる。これにより、同図８に示すように、ＬＣＤ３１のバックライトは緑色になる。図８において、窓部３Ｅに描いた斜線は、バックライトが緑色であることを示している。
【００９２】
操作部６が右回転操作された場合、増加する操作部６の回転角度をロータリエンコーダ１８が検出して、検出した回転角度に相応する回転角度信号を制御装置６０へ出力する。制御装置６０は、回転角度信号を設定風量の変更を指令する設定変更信号として演算処理し、回転角度の増加に応じて、ＬＣＤ駆動部６６に対する目標値、ＬＥＤ駆動部６７に対する目標値、およびモータドライバ６５に対する目標値のそれぞれを算出して、これらの目標値に相応する制御信号のそれぞれを、ＬＣＤ駆動部６６、ＬＥＤ駆動部６７およびモータドライバ６５のそれぞれへ出力する。
【００９３】
これにより、表示装置３０は、操作部６の回転角度が風量の設定操作時とも後述する吹出口の設定操作時とも異なる所定角度増加するたびごとに、風量表示エリア４０における円弧型バー４０Ｂ〜４０Ｇを、４０Ｂ，４０Ｃ，４０Ｄ，４０Ｅ，４０Ｆ，４０Ｇの順に発光させる。つまり、操作部６の回転角度が前記異なる所定角度増加するたびごとに、設定風量が大きくなったことが、発光する円弧型バーの数の増加により表示される。
【００９４】
また、照明装置３５は、操作部６の回転角度が前記異なる所定角度増加するたびごとに、緑色ＬＥＤ３５Ｃが発光する光の輝度を増加させる。これにより、緑色のバックライトは、操作部６の回転角度が前記異なる所定角度増加するたびごとに、緑色のまま明るくなり、風量表示エリア４０における円弧型セグメント４０Ｇが発光したときに、すなわち、最大風量に設定されたときに、最も明るくなる。つまり、緑色のバックライトは、設定風量が大きくなることに連動して明るくなる。
【００９５】
また、モータ８は、操作部６の回転角度が前記異なる所定角度増加するたびごとに回転力を瞬間的に変化させる。回転力が瞬間的に変化したとき、操作部６にはクリック感触が発生する。つまり、操作者は、設定風量が１段階大きくなるたびごとにクリック感触を得る。
【００９６】
また、風量表示エリア４０において円弧型セグメント４０Ｂ〜４０Ｇのすべてが発光して最大風量が表示されたときに、モータ８は、右回転操作に対抗する大きな回転力を発生させる。これにより、操作者は操作部６の右回転操作を阻止される。つまり、最大風量に設定されたことが、操作部６の右回転操作の阻止（力覚）によって操作者に提示される。
【００９７】
操作部６が左回転操作された場合、減少する操作部６の回転角度をロータリエンコーダ１８が検出して、その回転角度に相応する回転角度信号を制御装置６０へ出力する。制御装置６０は、回転角度信号を設定風量の変更を指令する設定変更信号として演算処理し、回転角度の減少に応じて、ＬＣＤ駆動部６６に対する目標値、ＬＥＤ駆動部６７に対する目標値、モータドライバ６５に対する目標値のそれぞれを算出し、これらの目標値のそれぞれに相応する制御信号のそれぞれを、ＬＣＤ駆動部６６、ＬＥＤ駆動部６７およびモータドライバ６５のそれぞれへ出力する。
【００９８】
これにより、表示装置３０は、操作部６の左回転操作を開始した当初、例えば円弧型セグメント４０Ｄ〜４０Ｇのすべてが発光していた場合、操作部６の回転角度が前記異なる所定角度減少するたびごとに、円弧型バー４０Ｂ〜４０Ｇを４０Ｇ，４０Ｆ，４０Ｅ，４０Ｄ，４０Ｃ，４０Ｂの順に消灯させる。つまり、操作部６の回転角度が前記異なる所定角度減少するたびごとに、設定風量が小さくなったことが、発光する円弧型バーの数の減少により表示される。
【００９９】
また、照明装置３５は、操作部６の回転角度が前記異なる所定角度減少するたびごとに、緑色ＬＥＤ３５Ｃが発光する光の輝度を減少させる。これにより、緑色のバックライトは、操作部６の回転角度が前記異なる所定角度減少するたびごとに、緑色のまま暗くなり、ファン型セグメント４０Ａのみの発光により風量０が表示されたときに、最も暗くなる。つまり、緑色のバックライトは、設定風量が小さくことに連動して暗くなる。
【０１００】
また、モータ８は、操作部６の回転角度が前記異なる所定角度減少するたびごとに回転力を瞬間的に変化させる。回転力が瞬間的に変化したとき、操作部６にはクリック感触が発生する。つまり、操作者は、設定風量が１段階小さくなるたびごとにクリック感触を得る。
【０１０１】
また、風量表示エリア４０において風量０が表示されたときに、モータ８は、左回転操作に対抗する大きな回転力を発生させる。これにより、操作者は操作部６の右回転操作を阻止される。つまり、設定風量が０になったことが、操作部６の左回転操作の阻止によって操作者に提示される。
【０１０２】
ロータリエンコーダ１８により検出される回転角度が変化せずに２秒経過すると、制御装置６０は、設定風量の変更が終了したと判定し、風量設定モードに切替わった当初にロータリエンコーダ１８が検出した回転角度と、設定風量の変更終了時にロータリエンコーダ１８が検出した回転角度との差から、カーエアコン１００に対する、設定風量に対応する指令値を算出する。そして、算出された指令値に相応する指令信号を、通信ドライバ６８によりカーエアコン１００へ出力する。
【０１０３】
通信ドライバ６８による指令信号の出力を終了すると、制御装置６０は、温度設定モードに移行するための演算を行い、温度設定モードに戻る。
【０１０４】
＜２．４＞  吹出口設定時
吹出口の設定操作は、温度設定モードにおいて、操作部６を右方向に傾倒操作して吹出口設定モードに切替えた後、操作部６を回転操作することにより行う。
【０１０５】
操作部６が右方向へ傾倒操作されると、第２操作片２４Ｂにより駆動部材１２３Ｂが押圧操作されて第２検出スイッチ２３ＢがＯＮする。すると、第１検出スイッチ２３Ｂは、操作部６が右方向に傾倒操作されたことを示す右傾倒信号を、制御装置６０へ出力する。そして、操作部６に対する操作力が取除かれ、駆動部材１２３Ｂが復帰して第２検出スイッチ２３ＢがＯＦＦすると、第２検出スイッチ２３Ｂから制御装置６０への右傾倒信号の出力が停止する。
【０１０６】
制御装置６０は、温度設定モードにおける第２検出スイッチ２３Ｂからの右傾倒信号の出力を、温度設定モードから吹出口設定モードへの切替を指令する切替信号として演算処理し、風量設定モードに切替わるとともに、表示装置３０のＬＣＤ駆動部６６と、照明装置３５のＬＥＤ駆動部６７とに対して、風量設定モードに相応する制御信号を出力する。
【０１０７】
制御信号に従って動作した表示装置３０は、図９に示すように、吹出口表示エリア４２に、温度設定モード時と同じくＶＥＮＴ吹出口に設定されていることを矢印型セグメント４２Ｃの発光によって表示する。また、温度表示エリア４１に、前述のようにして設定された温度である２０℃を示す「２０」を数字形成部４１Ａによって表示する。また、風量表示エリア４０に、前述ようにして設定された風量を、例えば円弧型セグメント４０Ｂ，４０Ｃの発光によって表示する。
【０１０８】
また、表示装置３０は、同図９に示すように、吹出口表示エリア４２の周囲のリング型セグメント４５と三角セグメント４９を発光させ、同時に、温度表示エリア４１の周囲のリング型セグメント４４、三角セグメント４７，４８を消灯する。つまり、吹出口設定モードであることがリング型セグメント４５によって表示され、操作部６の左方向への傾倒操作により温度設定モードに切替可能であることが三角セグメント４９によって表示される。
【０１０９】
また、制御信号に従って動作した照明装置３５は、赤色ＬＥＤ３５Ａ、青色ＬＥＤ３５Ｂおよび緑色ＬＥＤのすべてを発光させる。これにより、同図９に示すように、バックライトが白色となる。図９において、窓部３Ｅには図７，８のように破線や斜線を描いていないが、これはバックライトが白色であることを示している。
【０１１０】
操作部６が回転操作されると、変化する操作部６の回転角度をロータリエンコーダ１８が検出して、検出した回転角度に相応する回転角度信号を制御装置６０へ出力する。制御装置６０は、回転角度信号を設定吹出口の変更を指令する設定変更信号として演算処理し、回転角度の変化に応じて、ＬＣＤ駆動部６６に対する目標値、ＬＥＤ駆動部６７に対する目標値、モータドライバ６５に対する目標値のそれぞれを算出し、これらの目標値のそれぞれに相応する制御信号のそれぞれを、ＬＣＤ駆動部６６、ＬＥＤ駆動部６７およびモータドライバ６５のそれぞれへ出力する。
【０１１１】
これにより、表示装置３０は、操作部６の回転角度に応じて、吹出口表示エリア４２の矢印型セグメント４２Ｂ〜４２Ｄのいずれかを発光させる。つまり、操作部６の回転角度が増加した場合、温度の設定操作時とも風量の設定操作時とも異なる所定角度増加するたびごとに、発光する矢印型セグメントが４２Ｃ（ＶＥＮＴ吹出口のみ）から、４２Ｄ（ＦＬＯＯＲ吹出口のみ）、４２Ｂ（ＤＥＦ吹出口のみ）、４２Ｂと４２Ｄの組合せ（ＤＥＦ吹出口とＦＬＯＯＲ吹出口）、４２Ｃと４２Ｄ組合せ（ＶＥＮＴ吹出口とＦＬＯＯＲ吹出口）の順に切替わる。逆に、操作部６の回転角度が減少した場合、前記異なる所定角度減少するたびごとに、発光する矢印型セグメントが４２Ｃ（ＶＥＮＴ吹出口のみ）から、４２Ｃと４２Ｄ組合せ（ＶＥＮＴ吹出口とＦＬＯＯＲ吹出口）、４２Ｂと４２Ｄの組合せ（ＤＥＦ吹出口とＦＬＯＯＲ吹出口）、４２Ｂ（ＤＥＦ吹出口のみ）、４２Ｄ（ＦＬＯＯＲ吹出口のみ）の順に切替わる。
【０１１２】
また、モータ８は、操作部６の回転角度が前記異なる所定角度変化するたびごとに回転力を瞬間的に変化させる。回転力が瞬間的に変化したとき、操作部６にはクリック感触が発生する。つまり、操作者は、発光する矢印型セグメントが、４２Ｃ（ＶＥＮＴ吹出口のみ）、４２Ｄ（ＦＬＯＯＲ吹出口のみ）、４２Ｂ（ＤＥＦ吹出口のみ）、４２Ｂと４２Ｄの組合せ（ＤＥＦ吹出口とＦＬＯＯＲ吹出口）、４２Ｃと４２Ｄ（ＶＥＮＴ吹出口とＦＬＯＯＲ吹出口）の組合せのそれぞれに切替わるときに、クリック感触を得る。
【０１１３】
ロータリエンコーダ１８により検出される回転角度が変化せずに２秒経過すると、制御装置６０は、設定吹出口の変更終了したと判定し、吹出口設定モードに切替わった当初にロータリエンコーダ１８が検出した回転角度と、設定吹出口の変更終了時にロータリエンコーダ１８が検出した回転角度との差から、カーエアコン１００に対する、設定吹出口に対応する指令値を算出する。そして、算出された指令値に相応する指令信号を、通信ドライバ６８によりカーエアコン１００へ出力する。
【０１１４】
通信ドライバ６８による指令信号の出力が終了すると、制御装置６０は、温度設定モードに移行する演算を行い、温度設定モードに戻る。
【０１１５】
なお、吹出口設定モードでは、バックライトの色および明るさは変化しない。また、モータ８はクリック感触の発生のみに使用され操作部６の回転操作は阻止されない。
【０１１６】
＜３＞  本実施形態の効果
本実施形態によれば次の効果を得られる。
【０１１７】
本実施形態では、温度設定モードにおけるバックライトの色と、風量設定モードにおけるバックライトの色と、吹出口設定モードにおけるバックライトの色とを、すべて異なる色にすることができる。つまり、温度設定モードと、風量設定モードと、吹出口設定モードとを、バックライトの色により識別することができる。この結果、温度、風量および吹出口のいずれに係る設定状態が変更可能な状態かの迅速な識別に貢献できる。
【０１１８】
また、本実施形態では、温度設定モードにおいて、設定温度が大きくなるのに連動してバックライトの赤色が強まり、設定温度が小さくなるのに連動してバックライトの青色が強まるようにした。これにより、設定温度の変化をバックライトの色の変化によって報知することができる。
【０１１９】
また、本実施形態では、風量設定モードにおいて、設定風量が大きくなるのに連動して緑色のバックライトが明るくなり、設定風量が小さくなるのに連動して緑色のバックライトが暗くなるようにした。これにより、設定風量の変化をバックライトの明るさによって報知することができる。
【０１２０】
また、本実施形態では、温度設定モードにおいて、設定温度の変化をバックライトの色の変化によって報知しているが、この際、設定温度の変化をイメージしやすくするために、赤色ＬＥＤ３５Ａおよび青色ＬＥＤ３５Ｂのそれぞれを制御してバックライトの色を生成している。このため、風量設定モードおよび吹出口設定モードのバックライトの色については、赤色ＬＥＤ３５Ａおよび青色ＬＥＤ３５Ｂにより生成可能な赤色、青色および紫色の３色は使用できない。そこで、本実施形態では、赤色、青色および紫色の３色とは異なる２色、すなわち白色および緑色のそれぞれを、緑色ＬＥＤ３５Ｃの単独発光、および緑色ＬＥＤ３５Ｃと赤色ＬＥＤ３５Ａと青色ＬＥＤ３５Ｃとの複合発光のそれぞれにより生成するようにしてある。これにより、赤色、青色および紫色のいずれとも異なる２色を生成するために、これら２色の光のそれぞれを発光する２つのＬＥＤを個別に設けなくて済み、前記２色のバックライトを生成するために部品点数が増加するということを防止できる。
【０１２１】
なお、本実施形態は、照明装置３５が、赤色ＬＥＤ３５Ａと青色ＬＥＤ３５Ｂと発光によりバックライトの１色を生成し、緑色ＬＥＤ３５Ｃの発光によりバックライトの別の１色を生成し、赤色ＬＥＤ３５Ａ、青色ＬＥＤ３５Ｂおよび緑色ＬＥＤ３５Ｃの発光によりバックライトのさらに別の１色を生成して、バックライトの色の種類を３つにしてあるが、本発明はこれに限るものではなく、赤色ＬＥＤ３５Ａ、青色ＬＥＤ３５Ｂおよび緑色ＬＥＤ３５Ｃを１つずつ発光させて３色の光を生成してもよい。
【０１２２】
また、本実施形態では、照明装置３５が、３つの発光装置、すなわち赤色ＬＥＤ３５Ａ、青色ＬＥＤ３５Ｂおよび緑色ＬＥＤ３５Ｃにより３色のバックライトを生成するようにしてあるが、本発明はこれに限るものではなく、異なる色の光を発光する発光装置を２つだけ設けて、これら２つ発光装置により３色のバックライトを生成するようにしてもよい。
【０１２３】
また、本実施形態では、３つの設定項目を表示することに対応させて３色のバックライトを生成するようにしてあるが、本発明はこれに限るものではなく、表示される設定項目が２つの場合には、２色のバックライトが生成されるよう制御装置６０を設定すればよく、表示される設定項目が３つよりも多い場合には、３つよりも多い色のバックライトが生成されるよう制御装置６０を設定すればよい。
【０１２４】
また、本実施形態では、３つの設定項目のそれどれに係る設定状態ごとに、バックライトの色を変えるようにしてあるが、本発明はこれに限るものではなく、３つ設定項目のうちの２つについてはバックライトが同じ色になり、残りの１つについてはバックライトが異なる色になるよう制御装置６０を設定してもよい。
【図面の簡単な説明】
【０１２５】
【図１】本発明の空調設定装置の一実施形態の正面図である。
【図２】図１に示す空調設定装置の装置の分解斜視図である。
【図３】図１のIII−III断面図である。
【図４】図１のIV−IV断面図である。
【図５】図４のV−V断面図である。
【図６】図１に示す空調設定装置のシステム構成を示すブロック図である。
【図７】温度の設定状態が変更可能な状態における表示面の照明光の色を示す図である。
【図８】風量の設定状態が変更可能な状態における表示面の照明光の色を示す図である。
【図９】吹出口の設定状態が変更可能な状態における表示面の照明光の色を示す図である。
【符号の説明】
【０１２６】
１            空調設定装置
５            入力装置
１８          ロータリエンコーダ（設定変更指令手段）
２３Ａ        第１検出スイッチ（切替指令手段）
２３Ｂ        第２検出スイッチ（切替指令手段）
３０          表示装置（表示手段）
３１          ＬＣＤ（表示面）
３５          照明装置（照明手段）
３５Ａ        赤色ＬＥＤ
３５Ｂ        青色ＬＥＤ
３５Ｃ        緑色ＬＥＤ
４０          風量表示エリア
４１          温度表示エリア
４２          吹出口表示エリア
６０          制御装置（表示制御手段、照明制御手段）
１００        カーエアコン
【図１】
2005324690.tif 000003
【図２】
2005324690.tif 000004
【図３】
2005324690.tif 000005
【図４】
2005324690.tif 000006
【図５】
2005324690.tif 000007
【図６】
2005324690.tif 000008
【図７】
2005324690.tif 000009
【図８】
2005324690.tif 000010
【図９】
2005324690.tif 000011